(57)【特許請求の範囲】
【請求項１】
壁パネルの前面側に電源プレートが取り付けられ、該壁パネル及び電源プレートに設けられた穴に電源コードが挿通されている電源プレートの取付構造において、
該壁パネル及び電源プレートの穴に脚付きプラグが挿通され、該脚付きプラグに室内側からナットが締め込まれることにより該脚付きプラグの脚とナットとによって壁パネル及び電源プレートが狭持されて電源プレートが壁パネルに固定されており、
該脚は、壁パネルの穴に挿入されるときに弾性変形して該穴に挿入されるものであることを特徴とする電源プレートの取付構造。
【請求項２】
請求項１において、前記脚付きプラグは、外周面に雄ねじを有した筒状のプラグ本体と、該プラグ本体の筒軸心方向の一端側から放射方向に突設された複数の前記脚とを備えてなり、該プラグ本体に前記電源コードが挿通されていることを特徴とする電源プレートの取付構造。
【発明の詳細な説明】
【０００１】
【発明の属する技術分野】
本発明は、壁裏から室内に通電用のコードを引き込むために該壁に電源プレートを取り付けた構造に関するものであり、例えばユニットルーム等に適用される電源プレートの取付構造に関する。
【０００２】
【従来の技術】
ユニットバスルーム、ユニットトイレルーム、ユニットバストイレルームなどのユニットルーム室内に電源コードを壁裏から引き込む場合、電源プレートを該壁に取り付け、この電源プレートのコード穴にコードを挿通させるようにしている。
【０００３】
第４図は、ユニットトイレルームに電源コードを引き込んだ構成を示す概略的な立面図である。
【０００４】
このユニットトイレルーム１内には壁パネル２に沿ってカウンター３が設置され、このカウンター３のエプロン３ａの前方に洋風便器４が設置されている。この洋風便器４は、人体臀部に温水を注ぎ掛ける温水洗浄装置や、臀部に温風を吹き付ける温風乾燥装置等の各種の電装品を装備している。この洋風便器４上に設置された便座ボックス５に電源コード６が連なっている。この電源コード６は、エプロン３ａの孔７（第５図）からカウンター３内に引き込まれ、壁パネル２の電源プレート８を通って壁裏に引き出されている。このコード６は、壁裏を通って天井パネル９の上側の天井裏にまで引き回され、該天井パネル９上のジョイントボックス１０内の電源端子（図示略）に接続されている。
【０００５】
天井パネル９には作業口１１が設けられている。この作業口１１は開閉自在な蓋１２によって閉鎖されている。
【０００６】
第５〜７図に示すように、この電源コード６を壁裏に引き回すときには、作業口１１から天井裏に作業員が上半身を入れ、紐１３を壁裏に垂らす。この紐１３の先端を壁パネル２の穴１４から取り出し、電源コード６の先端に結びつける。なお、電源コード６を、予め袋ナット１５、ゴムブッシュ１６及び電源プレート８の筒状プラグ１７に通しておく。
【０００７】
紐１３を引張ってコード６を壁裏を引き上げる。そして、コード６の先端を作業員が掴み、ジョイントボックス１０に接続する。その後、電源プレート８を壁パネル２に固定する。
【０００８】
電源プレート８は、中央に前記筒状プラグ１７が固設され、４隅にビス挿通穴１８が貫設されている。各ビス挿通穴１８に対応して、壁パネル２にはプラスチックアンカー１９が差し込まれたねじ留め穴が設けられている。
【０００９】
第６図の通り、電源プレート８の裏面にシリコンコーキング２１を塗着した後、電源プレート８を壁パネル２に押し付け、ビス２２を穴１８を通してプラスチックアンカー１９にねじ込んで電源プレート８を壁パネル２に固定する。
【００１０】
その後、ビス２２を隠すためシール２３を貼った後、第８図のようにゴムブッシュ１６をプラグ１７内に押し込み、袋ナット１５をプラグ１７にねじ込む。次いで、第９図（ａ），（ｂ）の通り、シリコンコーキング２４を電源パネル８の周囲に塗着する。
【００１１】
【発明が解決しようとする課題】
上記従来の電源プレートの取付構造にあっては、電源プレート８を壁パネル２に対し４本のビス２２で固定しているため、壁パネル２に対し４個の小穴をあけてプラスチックアンカー１９を差し込み、その後４本のビス２２のねじ込み作業を行う。このように作業数が多く、電源プレート８の固定にかなりの手間がかかっていた。
【００１２】
本発明は、このような問題点を解消し、電源プレートの壁パネルへの固定が著しく簡単である電源プレートの取付構造を提供することを目的とする。
【００１３】
【課題を解決するための手段】
本発明の電源プレートの取付構造は、壁パネルの前面側に電源プレートが取り付けられ、該壁パネル及び電源プレートに設けられた穴に電源コードが挿通されている電源プレートの取付構造において、該壁パネル及び電源プレートの穴に脚付きプラグが挿通され、該脚付きプラグに室内側からナットが締め込まれることにより該脚付きプラグの脚とナットとによって壁パネル及び電源プレートが狭持されて電源プレートが壁パネルに固定されており、該脚は、壁パネルの穴に挿入されるときに弾性変形して該穴に挿入されるものであることを特徴とするものである。
【００１４】
本発明の脚付きプラグは、外周面に雄ねじを有した筒状のプラグ本体と、該プラグ本体の筒軸心方向の一端側から放射方向に突設された複数の前記脚とを備えてなることが好ましい。このプラグ本体に前記電源コードが挿通される。
【００１５】
かかる電源プレートの取付構造にあっては、脚付きプラグの脚とナットとによって電源プレートを壁に固定しており、従来のビス留めは一切不要である。
【００１６】
【発明の実施の形態】
以下、第１〜３図を参照して実施の形態について説明する。第１図は実施の形態に係る電源プレートの取付構造を示す分解斜視図、第２図は脚付きプラグの斜視図（（ａ）図）と正面図（（ｂ）図）、第３図は実施の形態に係る電源プレートの取付構造を示す縦断面図である。
【００１７】
この脚付きプラグ３０は、外周面に雄ねじを有した筒状のプラグ本体３１と、このプラグ本体３１の筒軸心方向の一端から放射方向に突設された複数個（この実施の形態では３個）の脚３２とを有する。この実施の形態では、脚３２は略「へ」字形上に折曲した形状のバネ片よりなる。
【００１８】
電源プレート４０は、この脚付きプラグ３０のプラグ本体３１が挿通される穴４１を中央に有する。
【００１９】
壁パネル２には、穴１４のみが設けられており、小穴は設けられていない。
【００２０】
この電源プレート４を壁パネル２に取り付けるに先立って、コード６を袋ナット１５、ゴムブッシュ１６、六角ナット４２、電源プレート４０の穴４１、環状パッキン４３及び脚付きプラグ３０に通しておく。そして、脚付きプラグ３０のプラグ本体３１を電源プレート４０の穴４１に通し、ナット４１をプラグ本体３１の先端側に少しだけねじ込んでおく。次いで、この電源コード６を前記第５図と同様にして壁パネル２の裏に引き回し、ジョイントボックス１０に接続する。
【００２１】
しかる後、まず脚付きプラグ３０を壁パネル２の穴１４に通す。脚付きプラグ３０は、脚３２が壁の裏側に当るまで穴１４に差し込まれる。脚３２は、バネ片よりなるため、穴１４の内周面に当たりつつも、弾性的に変形して３個の脚３２が穴１４を通過する。
【００２２】
次いで、パッキン４３を介して電源プレート４０を壁パネル２の表側に当接させる。そして、このプラグ本体３１に六角ナット４２を締め込む。これにより、電源プレート４０と壁パネル２とが脚３２と六角ナット４２との間で締め付けられ、電源プレート４０が固定される。そこで、脚付きプラグ３０のプラグ本体３１の穴にゴムブッシュ１６を押し込み、袋ナット１５をプラグ本体３１にねじ込む。これにより、電源プレート４０の取付及びコード引回しが終了する。
【００２３】
この電源プレートの取付構造にあっては、電源プレート４０の取付時にビス留めが不要であり、電源プレート４０の取付作業性がきわめて良好である。
【００２４】
なお、パッキン４３の位置決めのために、電源プレート４０の裏面にリブ等の突部や、周回溝状の凹部を設けてもよい。また、パッキン４３に粘着剤を付着させておくと共に粘着剤を覆う剥離紙を付着させておき、使用時に剥離紙を剥して電源プレート４０にパッキン４３を貼ってもよい。パッキン４３を予め電源プレート４０の裏面に接着剤や粘着剤で貼り付けておいてもよい。
【００２５】
【発明の効果】
以上の通り、本発明によると、電源プレートの取付作業性が著しく向上する。本発明では、ビスや、ビスを隠すためのシール等も不要であり、部品点数が少ない。また、シール等を用いることなく美麗な仕上がりを得ることができる。
【図面の簡単な説明】
【図１】実施の形態に係る電源プレートの取付構造を示す分解斜視図である。
【図２】（ａ）図は脚付きプラグの斜視図、（ｂ）図は正面図である。
【図３】実施の形態に係る電源プレートの取付構造を示す縦断面図である。
【図４】トイレルームの縦断面図である。
【図５】従来例の説明図である。
【図６】従来例の説明図である。
【図７】従来例の説明図である。
【図８】従来例の説明図である。
【図９】従来例の説明図である。
【符号の説明】
２  壁パネル
６  電源コード
１４  穴
１５  袋ナット
１６  ゴムブッシュ
３０  脚付きプラグ
３１  プラグ本体
３２  脚
４０  電源プレート
４１  穴
４２  六角ナット
４３  パッキン
【図１】
0003695306.tif 000002
【図２】
0003695306.tif 000003
【図３】
0003695306.tif 000004
【図４】
0003695306.tif 000005
【図５】
0003695306.tif 000006
【図６】
0003695306.tif 000007
【図７】
0003695306.tif 000008
【図８】
0003695306.tif 000009
【図９】
0003695306.tif 000010